(57)【要約】  本発明の実施態様は、チャネル切換方法、装置、およびデバイスを提供する。方法は、モバイルWi-Fiデバイスによって、ネットワーク内のWi-Fiアクセスポイントによって送信されるチャネル切換指示を得るステップを有していて、チャネル切換指示は、宛先チャネル識別子を運び、更に、モバイルWi-Fiデバイスによって、チャネル切換指示に従って、モバイルWi-FiデバイスとWi-Fiアクセスポイント間の通信チャネル、およびモバイルWi-FiデバイスとモバイルWi-Fiデバイスにアクセスしている端末間の通信チャネルを、チャネル切換指示内で運ばれる宛先チャネル識別子に対応する宛先通信チャネルに切り換えるステップを有している。このような方法で、Wi-FiクライアントおよびモバイルWi-FiデバイスのWi-Fiアクセス端は、チャネル切換を実行した後も、依然として同じ通信チャネル上で動作するので、モバイルWi-Fiデバイスの互換性、スループット、および安定性が改善される。
2015534404.tif 000002
【特許請求の範囲】
【請求項１】
モバイルWi-Fiデバイスによって、ネットワーク内のWi-Fiアクセスポイントによって送信されるチャネル切換指示を得るステップを有していて、前記チャネル切換指示は、宛先チャネル識別子を運び、
更に、モバイルWi-Fiデバイスによって、チャネル切換指示に従って、モバイルWi-FiデバイスとWi-Fiアクセスポイント間の通信チャネル、およびモバイルWi-FiデバイスとモバイルWi-Fiデバイスにアクセスしている端末間の通信チャネルを、宛先チャネル識別子に対応する宛先通信チャネルに切り換えるステップを有していることを特徴とするチャネル切換方法。
【請求項２】
前記モバイルWi-Fiデバイスによって、チャネル切換指示に従って、モバイルWi-FiデバイスとWi-Fiアクセスポイント間の通信チャネル、およびモバイルWi-FiデバイスとモバイルWi-Fiデバイスにアクセスしている端末間の通信チャネルを、宛先チャネル識別子に対応する宛先通信チャネルに切り換えるステップは、
モバイルWi-Fiデバイスによって、チャネル切換指示に従って、モバイルWi-FiデバイスとWi-Fiアクセスポイント間の通信チャネルを制御して、宛先チャネル識別子に対応する宛先通信チャネルに切り換えて、切換完了信号を生成するステップと、
モバイルWi-Fiデバイスによって、切換完了信号に従って、モバイルWi-FiデバイスとモバイルWi-Fiデバイスにアクセスしている端末間の通信チャネルを、宛先チャネル識別子に対応する宛先通信チャネルに切り換えるステップとを有していることを特徴とする請求項１に記載の方法。
【請求項３】
前記モバイルWi-Fiデバイスによって、チャネル切換指示に従って、モバイルWi-FiデバイスとWi-Fiアクセスポイント間の通信チャネル、およびモバイルWi-FiデバイスとモバイルWi-Fiデバイスにアクセスしている端末間の通信チャネルを、宛先チャネル識別子に対応する宛先通信チャネルに切り換えるステップは、
モバイルWi-Fiデバイスによって、チャネル切換指示に従って、モバイルWi-FiデバイスとWi-Fiアクセスポイント間の通信チャネルを制御して、宛先チャネル識別子に対応する宛先通信チャネルに切り換えて、同時に、モバイルWi-FiデバイスとモバイルWi-Fiデバイスにアクセスしている端末間の通信チャネルを制御して、宛先チャネル識別子に対応する宛先通信チャネルに切り換えるステップを有していることを特徴とする請求項１に記載の方法。
【請求項４】
前記モバイルWi-Fiデバイスによって、ネットワーク内のWi-Fiアクセスポイントによって送信されるチャネル切換指示を得るステップの前に、
モバイルWi-Fiデバイスによって、ネットワーク内のWi-Fiアクセスポイントによって送信されて、モバイルWi-Fiデバイスに、データを送信するのを止めるように指示するために用いられる終了指示を受信するステップと、
モバイルWi-Fiデバイスによって、終了指示に従って、モバイルWi-FiデバイスとWi-Fiアクセスポイント間の通信チャネル上でモバイルWi-Fiデバイスによって実行されるデータ送信を終了するステップとを更に有していることを特徴とする請求項１から３のうちのいずれか一項に記載の方法。
【請求項５】
前記モバイルWi-Fiデバイスによって、終了指示に従って、モバイルWi-FiデバイスとWi-Fiアクセスポイント間の通信チャネル上でモバイルWi-Fiデバイスによって実行される送信を終了するステップの後に、
端末に、端末がモバイルWi-Fiデバイスと通信している通信チャネル上でデータを送信するのを止めるように指示するために、終了指示を、モバイルWi-Fiデバイスにアクセスしている端末に送信するステップを更に有していることを特徴とする請求項４に記載の方法。
【請求項６】
前記モバイルWi-Fiデバイスによって、チャネル切換指示に従って、モバイルWi-FiデバイスとWi-Fiアクセスポイント間の通信チャネル、およびモバイルWi-FiデバイスとモバイルWi-Fiデバイスにアクセスしている端末間の通信チャネルを、宛先チャネル識別子に対応する宛先通信チャネルに切り換えるステップの後に、
モバイルWi-Fiデバイスによって、宛先チャネル識別子を含む情報をモバイルWi-Fiデバイスにアクセスしている端末に送信するステップを更に有していて、前記情報は、端末に、端末がモバイルWi-Fiデバイスと通信している通信チャネルから、宛先チャネル識別子に対応する宛先通信チャネルに切り換えるように指示するために用いられることを特徴とする請求項１から５のうちのいずれか一項に記載の方法。
【請求項７】
モバイルWi-Fiデバイス内の受信器を用いて、ネットワーク内のWi-Fiアクセスポイントによって送信されるチャネル切換指示を得るように構成された取得モジュールを備えていて、前記チャネル切換指示は、宛先チャネル識別子を運び、
更に、チャネル切換指示に従って、モバイルWi-FiデバイスとWi-Fiアクセスポイント間の通信チャネル、およびモバイルWi-FiデバイスとモバイルWi-Fiデバイスにアクセスしている端末間の通信チャネルを、チャネル切換指示内で運ばれる宛先チャネル識別子に対応する宛先通信チャネルに切り換えるように構成された処理モジュールを備えていることを特徴とするチャネル切換チップ。
【請求項８】
前記処理モジュールは、
チャネル切換指示に従って、モバイルWi-FiデバイスとWi-Fiアクセスポイント間の通信チャネルを制御して、宛先チャネル識別子に対応する宛先通信チャネルに切り換えて、切換完了信号を生成するように構成された制御ユニットと、
切換完了信号に従って、モバイルWi-FiデバイスとモバイルWi-Fiデバイスにアクセスしている端末間の通信チャネルを、宛先チャネル識別子に対応する宛先通信チャネルに切り換えるように構成された切換ユニットとを有していることを特徴とする請求項７に記載の装置。
【請求項９】
前記処理モジュールは、チャネル切換指示に従って、モバイルWi-FiデバイスとWi-Fiアクセスポイント間の通信チャネルを制御して、宛先チャネル識別子に対応する宛先通信チャネルに切り換えて、同時に、モバイルWi-FiデバイスとモバイルWi-Fiデバイスにアクセスしている端末間の通信チャネルを制御して、宛先チャネル識別子に対応する宛先通信チャネルに切り換えるように更に構成されていることを特徴とする請求項７に記載の装置。
【請求項１０】
前記取得モジュールは、モバイルWi-Fiデバイス内の受信器を用いて、ネットワーク内のWi-Fiアクセスポイントによって送信されて、モバイルWi-Fiデバイスに、データを送信するのを止めるように指示するために用いられる終了指示を受信するように更に構成されていて、
前記処理モジュールは、終了指示に従って、モバイルWi-FiデバイスとWi-Fiアクセスポイント間の通信チャネル上でモバイルWi-Fiデバイスによって実行されるデータ送信を終了するように更に構成されていることを特徴とする請求項７から９のうちのいずれか一項に記載の装置。
【請求項１１】
前記処理モジュールは、端末に、端末がモバイルWi-Fiデバイスと通信している通信チャネル上にデータを送信するのを止めるように指示するために、終了指示を、モバイルWi-Fiデバイスにアクセスしている端末に送信するように更に構成されていることを特徴とする請求項１０に記載の装置。
【請求項１２】
前記処理モジュールは、宛先チャネル識別子を含む情報をモバイルWi-Fiデバイスにアクセスしている端末に送信するように更に構成されていて、
前記情報は、端末に、端末がモバイルWi-Fiデバイスと通信している通信チャネルから、宛先チャネル識別子に対応する宛先通信チャネルに切り換えるように指示するために用いられることを特徴とする請求項７から１１のうちのいずれか一項に記載の装置。
【請求項１３】
ネットワーク内のWi-Fiアクセスポイントによって送信されるチャネル切換指示を得るように構成された受信器を備えていて、前記チャネル切換指示は、宛先チャネル識別子を運び、
更に、受信器に接続されていて、チャネル切換指示に従って、モバイルWi-FiデバイスとWi-Fiアクセスポイント間の通信チャネル、およびWi-FiデバイスとモバイルWi-Fiデバイスにアクセスしている端末間の通信チャネルを、チャネル切換指示内で運ばれた宛先チャネル識別子に対応する宛先通信チャネルに切り換えるように構成されたWi-Fi処理チップを備えていることを特徴とするモバイルWi-Fiデバイス。
【請求項１４】
前記Wi-Fi処理チップは、チャネル切換指示に従って、モバイルWi-FiデバイスとWi-Fiアクセスポイント間の通信チャネルを制御して、宛先チャネル識別子に対応する宛先通信チャネルに切り換えて、切換完了信号を生成して、切換完了信号に従って、モバイルWi-FiデバイスとモバイルWi-Fiデバイスにアクセスしている端末間の通信チャネルを、宛先チャネル識別子に対応する宛先通信チャネルに切り換えるように更に構成されていることを特徴とする請求項１３に記載のデバイス。
【請求項１５】
前記Wi-Fi処理チップは、チャネル切換指示に従って、モバイルWi-FiデバイスとWi-Fiアクセスポイント間の通信チャネルを制御して、宛先チャネル識別子に対応する宛先通信チャネルに切り換えて、モバイルWi-FiデバイスとモバイルWi-Fiデバイスにアクセスしている端末間の通信チャネルを制御して、宛先チャネル識別子に対応する宛先通信チャネルに切り換えるように更に構成されていることを特徴とする請求項１３に記載のデバイス。
【請求項１６】
前記受信器は、ネットワーク内のWi-Fiアクセスポイントによって送信されて、モバイルWi-Fiデバイスに、データを送信するのを止めるように指示するために用いられる終了指示を受信するように更に構成されていて、
前記Wi-Fi処理チップは、終了指示に従って、モバイルWi-FiデバイスとWi-Fiアクセスポイント間の通信チャネル上でモバイルWi-Fiデバイスによって実行されるデータ送信を終了するように更に構成されていることを特徴とする請求項１３から１５のうちのいずれか一項に記載のデバイス。
【請求項１７】
前記Wi-Fi処理チップは、宛先チャネル識別子を含む情報をモバイルWi-Fiデバイスにアクセスしている端末に送信するように更に構成されていて、前記情報は、端末に、端末がモバイルWi-Fiデバイスと通信している通信チャネルから、宛先チャネル識別子に対応する宛先通信チャネルに切り換えるように指示するために用いられることを特徴とする請求項１３から１５のうちのいずれか一項に記載のデバイス。
【請求項１８】
前記モバイルWi-Fiデバイスは、単一のWi-Fi処理チップを備えていることを特徴とする請求項１３から１７のうちのいずれか一項に記載のデバイス。
【発明の詳細な説明】
【技術分野】
【０００１】
本発明は、通信技術の分野に関し、特に、チャネル切換方法、装置、およびデバイスに関する。
【背景技術】
【０００２】
現在、5G Wi-Fiネットワークの大衆化と共に、5G Wi-Fi製品の応用は、ますます広範囲になっている。現在、Conformity European（CE）および連邦通信委員会（FCC, Federal Communications Commission）は、いくつかのチャネル上で用いられる時に、5G Wi-Fiが、動的周波数選択（DFS, Dynamic Frequency Selection）機能をサポートするべきであることを要求する。加えて、CEおよびFCCは、現在、Wi-Fiデバイスを無線ローカルエリアネットワークアクセス端（Wi-Fi AP, Wi-Fiアクセスポイント）および無線ローカルエリアネットワーククライアント（Wi-Fi STA, Wi-Fiステーション）に分類する。一般的な応用シナリオを図１に示す。図１内のWi-Fiアクセスポイント（すなわち、Wi-Fiホットスポット）は、レーダー信号を検出して、干渉を発見した後に、アクセスされたモバイルWi-Fiデバイス（すなわち、図１内のモバイルWi-Fi）にデータ情報送信を止めるように指示する。モバイルWi-Fiは、動的周波数選択基準に従って、モバイルWi-FiとWi-Fiホットスポット間のチャネルおよびモバイルWi-Fiと端末デバイス間のチャネルを移動する。
【発明の概要】
【発明が解決しようとする課題】
【０００３】
しかし、現在のモバイルWi-Fiデバイスに対しては、チャネルは独立して移動され、その結果、モバイルWi-Fiデバイスは、互換性、スループット、および安定性の問題を有している。
【課題を解決するための手段】
【０００４】
本発明の実施態様は、従来技術におけるモバイルWi-Fiの互換性、スループット、および安定性が全て劣っているという問題を解決するために用いられるチャネル切換方法、装置、およびデバイスを提供する。
【０００５】
本発明の実施態様における特有の技術的解決策は以下の通りである。
【０００６】
本発明の実施態様のうちの第１の態様は、
モバイルWi-Fiデバイスによって、ネットワーク内のWi-Fiアクセスポイントによって送信されるチャネル切換指示を得るステップを有していて、チャネル切換指示は、宛先チャネル識別子を運び、
更に、モバイルWi-Fiデバイスによって、チャネル切換指示に従って、モバイルWi-FiデバイスとWi-Fiアクセスポイント間の通信チャネル、およびモバイルWi-FiデバイスとモバイルWi-Fiデバイスにアクセスしている端末間の通信チャネルを、チャネル切換指示内で運ばれる宛先チャネル識別子に対応する宛先通信チャネルに切り換えるステップを有しているチャネル切換方法を提供する。
【０００７】
第１の態様に関して、第１の可能な実施方法において、モバイルWi-Fiデバイスによって、チャネル切換指示に従って、モバイルWi-FiデバイスとWi-Fiアクセスポイント間の通信チャネル、およびモバイルWi-FiデバイスとモバイルWi-Fiデバイスにアクセスしている端末間の通信チャネルを、チャネル切換指示内で運ばれる宛先チャネル識別子に対応する宛先通信チャネルに切り換えるステップは、
モバイルWi-Fiデバイスによって、チャネル切換指示に従って、モバイルWi-FiデバイスとWi-Fiアクセスポイント間の通信チャネルを制御して、宛先チャネル識別子に対応する宛先通信チャネルに切り換えて、切換完了信号を生成するステップと、
モバイルWi-Fiデバイスによって、切換完了信号に従って、モバイルWi-FiデバイスとモバイルWi-Fiデバイスにアクセスしている端末間の通信チャネルを、宛先チャネル識別子に対応する宛先通信チャネルに切り換えるステップとを有している。
【０００８】
第１の態様に関して、第２の可能な実施方法において、モバイルWi-Fiデバイスによって、チャネル切換指示に従って、モバイルWi-FiデバイスとWi-Fiアクセスポイント間の通信チャネル、およびモバイルWi-FiデバイスとモバイルWi-Fiデバイスにアクセスしている端末間の通信チャネルを、チャネル切換指示内で運ばれる宛先チャネル識別子に対応する宛先通信チャネルに切り換えるステップは、
モバイルWi-Fiデバイスによって、チャネル切換指示に従って、モバイルWi-FiデバイスとWi-Fiアクセスポイント間の通信チャネルを制御して、宛先チャネル識別子に対応する宛先通信チャネルに切り換えて、同時に、モバイルWi-FiデバイスとモバイルWi-Fiデバイスにアクセスしている端末間の通信チャネルを制御して、宛先チャネル識別子に対応する宛先通信チャネルに切り換えるステップとを有している。
【０００９】
第１の態様、第１の態様の第１の可能な実施方法、または第１の態様の第２の可能な実施方法に関して、第３の可能な実施方法において、モバイルWi-Fiデバイスによって、ネットワーク内のWi-Fiアクセスポイントによって送信されるチャネル切換指示を得るステップの前に、
モバイルWi-Fiデバイスによって、ネットワーク内のWi-Fiアクセスポイントによって送信されて、モバイルWi-Fiデバイスにデータを送信するのを止めるように指示するために用いられる終了指示を受信するステップと、
モバイルWi-Fiデバイスによって、終了指示に従って、モバイルWi-FiデバイスとWi-Fiアクセスポイント間の通信チャネル上のモバイルWi-Fiデバイスによって実行されるデータ送信を終了するステップとを更に有している。
【００１０】
第３の可能な実施方法に関して、第４の可能な実施方法において、モバイルWi-Fiデバイスによって、終了指示に従って、モバイルWi-FiデバイスとWi-Fiアクセスポイント間の通信チャネル上のモバイルWi-Fiデバイスによって実行される送信を終了するステップの後に、
端末に、端末がモバイルWi-Fiデバイスと通信している通信チャネル上にデータを送信するのを止めるように指示するために、終了指示を、モバイルWi-Fiデバイスにアクセスしている端末に送信するステップを更に有している。
【００１１】
第１の態様、第１の態様の第１の可能な実施方法、第１の態様の第２の可能な実施方法、第１の態様の第３の可能な実施方法、または第１の態様の第４の可能な実施方法に関して、第５の可能な実施方法において、モバイルWi-Fiデバイスによって、チャネル切換指示に従って、モバイルWi-FiデバイスとWi-Fiアクセスポイント間の通信チャネル、およびモバイルWi-FiデバイスとモバイルWi-Fiデバイスにアクセスしている端末間の通信チャネルを、宛先チャネル識別子に対応する宛先通信チャネルに切り換えるステップの後に、
モバイルWi-Fiデバイスによって、宛先チャネル識別子を含む情報を、モバイルWi-Fiデバイスにアクセスしている端末に送信するステップを更に有していて、情報は、端末に、端末がモバイルWi-Fiデバイスと通信している通信チャネルから、宛先チャネル識別子に対応する宛先通信チャネルに切り換えるように指示するために用いられる。
【００１２】
本発明の実施態様の第２の態様は、
モバイルWi-Fiデバイス内の受信器を用いて、ネットワーク内のWi-Fiアクセスポイントによって送信されるチャネル切換指示を得るように構成された取得モジュールを備えていて、チャネル切換指示は、宛先チャネル識別子を運び、
更に、チャネル切換指示に従って、モバイルWi-FiデバイスとWi-Fiアクセスポイント間の通信チャネル、およびモバイルWi-FiデバイスとモバイルWi-Fiデバイスにアクセスしている端末間の通信チャネルを、チャネル切換指示内で運ばれる宛先チャネル識別子に対応する宛先通信チャネルに切り換えるように構成された処理モジュールを備えているチャネル切換装置を提供する。
【００１３】
第２の態様に関して、第１の可能な実施方法において、処理モジュールは、
チャネル切換指示に従って、モバイルWi-FiデバイスとWi-Fiアクセスポイント間の通信チャネルを制御して、宛先チャネル識別子に対応する宛先通信チャネルに切り換えて、切換完了信号を生成するように構成された制御ユニットと、
切換完了信号に従って、モバイルWi-FiデバイスとモバイルWi-Fiデバイスにアクセスしている端末間の通信チャネルを、宛先チャネル識別子に対応する宛先通信チャネルに切り換えるように構成された切換ユニットとを有している。
【００１４】
第２の態様に関して、第２の可能な実施方法において、処理モジュールは、チャネル切換指示に従って、モバイルWi-FiデバイスとWi-Fiアクセスポイント間の通信チャネルを制御して、宛先チャネル識別子に対応する宛先通信チャネルに切り換えて、同時に、モバイルWi-FiデバイスとモバイルWi-Fiデバイスにアクセスしている端末間の通信チャネルを制御して、宛先チャネル識別子に対応する宛先通信チャネルに切り換えるように更に構成されている。
【００１５】
第２の態様に関して、第３の可能な実施方法において、取得モジュールは、モバイルWi-Fiデバイス内の受信器を用いて、ネットワーク内のWi-Fiアクセスポイントによって送信されて、モバイルWi-Fiデバイスにデータを送信するのを止めるように指示するために用いられる終了指示を受信するように更に構成されていて、  処理モジュールは、終了指示に従って、モバイルWi-FiデバイスとWi-Fiアクセスポイント間の通信チャネル上でモバイルWi-Fiデバイスによって実行されるデータ送信を終了するように更に構成されている。
【００１６】
第３の可能な実施方法に関して、第４の可能な実施方法において、処理モジュールは、端末に、端末がモバイルWi-Fiデバイスと通信している通信チャネル上にデータを送信するのを止めるように指示するために、終了指示を、モバイルWi-Fiデバイスにアクセスしている端末に送信するように更に構成されている。
【００１７】
第１の態様、第１の態様の第１の可能な実施方法、第１の態様の第２の可能な実施方法、第１の態様の第３の可能な実施方法、または第１の態様の第４の可能な実施方法に関して、第５の可能な実施方法において、処理モジュールは、宛先チャネル識別子を含む情報をモバイルWi-Fiデバイスにアクセスしている端末に送信するように更に構成されていて、情報は、端末に、端末がモバイルWi-Fiデバイスと通信している通信チャネルから、宛先チャネル識別子に対応する宛先通信チャネルに切り換えるように指示するために用いられる。
【００１８】
本発明の実施態様の第３の態様は、
ネットワーク内のWi-Fiアクセスポイントによって送信されるチャネル切換指示を得るように構成された受信器を備えていて、チャネル切換指示は、宛先チャネル識別子を運び、
更に、受信器に接続されていて、チャネル切換指示に従って、モバイルWi-FiデバイスとWi-Fiアクセスポイント間の通信チャネル、およびWi-FiデバイスとモバイルWi-Fiデバイスにアクセスしている端末間の通信チャネルを、チャネル切換指示内で運ばれる宛先チャネル識別子に対応する宛先通信チャネルに切り換えるように構成されたWi-Fi処理チップを備えているモバイルWi-Fiデバイスを提供する。
【００１９】
第３の態様に関して、第１の可能な実施方法において、Wi-Fi処理チップは、チャネル切換指示に従って、モバイルWi-FiデバイスとWi-Fiアクセスポイント間の通信チャネルを制御して、宛先チャネル識別子に対応する宛先通信チャネルに切り換えて、切換完了信号を生成して、切換完了信号に従って、モバイルWi-FiデバイスとモバイルWi-Fiデバイスにアクセスしている端末間の通信チャネルを、宛先チャネル識別子に対応する宛先通信チャネルに切り換えるように更に構成されている。
【００２０】
第３の態様に関して、第２の可能な実施方法において、Wi-Fi処理チップは、チャネル切換指示に従って、モバイルWi-FiデバイスとWi-Fiアクセスポイント間の通信チャネルを制御して、宛先チャネル識別子に対応する宛先通信チャネルに切り換えて、モバイルWi-FiデバイスとモバイルWi-Fiデバイスにアクセスしている端末間の通信チャネルを制御して、宛先チャネル識別子に対応する宛先通信チャネルに切り換えるように更に構成されている。
【００２１】
第３の態様、第３の態様の第１の可能な実施方法、または第３の態様の第２の可能な実施方法に関して、第３の可能な実施方法において、受信器は、ネットワークのWi-Fiアクセスポイントによって送信されて、モバイルWi-Fiデバイスに、データを送信するのを止めるように指示するために用いられる終了指示を受信するように更に構成されていて、
Wi-Fi処理チップは、終了指示に従って、モバイルWi-FiデバイスとWi-Fiアクセスポイント間の通信チャネル上でモバイルWi-Fiデバイスによって実行されるデータ送信を終了するように更に構成されている。
【００２２】
第３の態様、第３の態様の第１の可能な実施方法、第３の態様の第２の可能な実施方法、または第３の態様の第３の可能な実施方法に関して、第４の可能な実施方法において、Wi-Fi処理チップは、宛先チャネル識別子を含む情報をモバイルWi-Fiデバイスにアクセスしている端末に送信するように更に構成されていて、情報は、端末に、端末がモバイルWi-Fiデバイスと通信している通信チャネルから、宛先チャネル識別子に対応する宛先通信チャネルに切り換えるように指示するために用いられる。
【００２３】
第３の態様に関して、第５の可能な実施方法において、モバイルWi-Fiデバイスは、単一のWi-Fiチップを備えていて、Wi-Fi処理チップは、Wi-Fiチップ上に配置されている。
【００２４】
本発明の実施態様において、モバイルWi-Fiデバイスは、ネットワーク内のWi-Fiアクセスポイントによって送信されるチャネル切換指示を得て、チャネル切換指示は、宛先チャネル識別子を運び、モバイルWi-Fiデバイスは、チャネル切換指示に従って、モバイルWi-FiデバイスとWi-Fiアクセスポイント間の通信チャネル、およびモバイルWi-FiデバイスとモバイルWi-Fiデバイスにアクセスしている端末間の通信チャネルを、チャネル切換指示内で運ばれる宛先チャネル識別子に対応する宛先通信チャネルに切り換える。これは、チャネル切換が実行される時に、Wi-FiクライアントおよびモバイルWi-FiデバイスのWi-Fiアクセス端が、異なる通信チャネルに切り換えられるという問題を回避する。そして、Wi-FiクライアントおよびモバイルWi-FiデバイスのWi-Fiアクセス端は、チャネル切換を実行した後も、依然として同じ通信チャネル上で動作するので、モバイルWi-Fiデバイスの互換性、スループット、および安定性が改善される。
【図面の簡単な説明】
【００２５】
【図１】従来のネットワーク内のモバイルWi-Fiデバイスの相互作用の概略図である。
【図２】従来のモバイルWi-Fiデバイスの概略構成図である。
【図３】本発明の一実施態様によるチャネル切換方法のフローチャートである。
【図４】本発明の一実施態様による他のチャネル切換方法のフローチャートである。
【図５】本発明の一実施態様によるモバイルWi-Fiデバイスの相互作用のフローチャートである。
【図６】本発明の一実施態様によるチャネル切換装置の概略構成図である。
【図７】本発明の一実施態様による処理モジュールの特定の構成の概略図である。
【図８】本発明の一実施態様によるモバイルWi-Fiデバイスの概略構成図である。
【発明を実施するための形態】
【００２６】
本発明の実施態様におけるモバイルWi-Fiデバイス（以下、略してモバイルWi-Fi）は、Wi-Fiクライアント（Wi-Fi STA）およびWi-Fiアクセスポイント（Wi-Fi AP）として機能し得る。図１から図２に示すように、図２のモバイルWi-Fiは、Wi-Fi APおよびWi-Fi STAの機能を有している。
【００２７】
図１に示すように、モバイルWi-Fiは、Wi-Fi STAを用いてネットワーク内のWi-Fiホットスポットにアクセスすることができ、その結果、モバイルWi-Fiは、Wi-Fiホットスポットを用いてネットワーク（インターネット）に接続される。Wi-Fi APは、モバイルWi-FiとモバイルWi-Fiにアクセスしている端末間の通信のために用いられる。
【００２８】
ネットワーク内のWi-FiホットスポットがモバイルWi-Fiにチャネル切換を実行するように指示する時、モバイルWi-Fi内のWi-Fi APおよびWi-Fi STAは、チャネル切換を実行する必要がある。Wi-Fi APとWi-Fi STAは、別々に動的周波数選択を実行し、実行の結果、モバイルWi-Fi内のWi-Fi APとWi-Fi STAは、別々の通信チャネル上で動作することになる可能性がある。その結果、モバイルWi-Fiは、貧弱な互換性、低いスループット、および低い安定性という問題に直面する。
【００２９】
前述の問題を解決するために、本発明の実施態様におけるモバイルWi-Fi内のWi-Fi STAは、リアルタイムで、ネットワーク内のWi-Fiホットスポットによって送信されるチャネル切換指示が受信されたかどうかを検出する。モバイルWi-Fi内のWi-Fi STAがチャネル切換指示を受信すると、モバイルWi-Fiは、モバイルWi-FiとWi-Fiホットスポット間の通信チャネル、およびモバイルWi-FiとモバイルWi-Fiにアクセスしている端末間の通信チャネルを、宛先チャネル識別子に対応する宛先通信チャネルに切り換える。換言すれば、モバイルWi-Fiと端末間のチャネル、およびモバイルWi-Fiとネットワーク内のWi-Fiホットスポット間のチャネルは、同じ通信チャネルに切り換えられる。
【００３０】
以下、添付の図面および具体的な実施態様を参照して、詳細に本発明の技術的解決策を説明する。
【００３１】
従来技術におけるモバイルWi-Fiの貧弱な互換性、低いスループット、および低い安定性という問題を解決するために、本発明のこの実施態様は、チャネル切換方法を提供する。図３は、本発明の実施態様によるチャネル切換方法のフローチャートである。この方法は、以下のステップを有している。
【００３２】
S301: モバイルWi-Fiデバイスは、ネットワーク内のWi-Fiアクセスポイントによって送信されるチャネル切換指示を得るが、チャネル切換指示は、切り換えられる必要がある宛先通信チャネルの宛先チャネル識別子を運ぶ。
【００３３】
S302: モバイルWi-Fiデバイスは、チャネル切換指示に従って、モバイルWi-FiデバイスとWi-Fiアクセスポイント間の通信チャネル、およびモバイルWi-FiデバイスとモバイルWi-Fiデバイスにアクセスしている端末間の通信チャネルを、宛先チャネル識別子に対応する宛先通信チャネルに切り換える。
【００３４】
本発明の実施態様においては、モバイルWi-Fiは、モバイルWi-Fiと端末間のチャネル、およびモバイルWi-Fiとネットワーク内のWi-Fiホットスポット間のチャネルを、同じ通信チャネルに切り換えるので、モバイルWi-Fiの貧弱な互換性、低いスループット、および低い安定性という問題が解決される。
【００３５】
具体的には、モバイルWi-Fiが時分割状態（オフロード(offload)）にある時、モバイルWi-FiのWi-Fi STAは、その上にWi-Fi STAが現在ある通信チャネルから、チャネル切換指示内で運ばれる宛先チャネル識別子に対応する宛先通信チャネルに切り換わる。
【００３６】
モバイルWi-Fi内のWi-Fi STAが宛先通信チャネルに切り換わった後に、モバイルWi-Fi内のWi-Fi STAは、宛先チャネル識別子を含む情報をモバイルWi-Fi内のWi-Fi APに送信して、モバイルWi-Fi内のWi-Fi APを制御して、受信した情報に従って、その上にWi-Fi APが現在ある通信チャネルから、宛先チャネル識別子に対応する宛先通信チャネルに切り換える。換言すれば、一旦Wi-Fiホットスポットの通信チャネルが切り換えられれば、Wi-Fiホットスポットは適時にモバイルWi-Fiに通知するので、モバイルWi-Fi内のWi-Fi STAおよびWi-Fi APは、Wi-Fiホットスポットと同じ宛先通信チャネルに自動的に切り換わる。
【００３７】
例えば、現在、Wi-Fiホットスポットがチャネル１０８上で通信していて、Wi-Fiホットスポットに接続しているモバイルWi-Fi内のWi-Fi STAもチャネル１０８上で通信しているとする。Wi-Fiホットスポットが現在のチャネル上で干渉を検出した時、例えば、レーダー信号の干渉が存在する時、Wi-Fiホットスポットは、利用可能な通信チャネル１１０を判定して、通信のためにチャネルをチャネル１１０に切り換える。一方、Wi-Fiホットスポットは、チャネル１１０の識別子を運ぶチャネル切換指示を生成して、このチャネル切換指示をモバイルWi-Fiに送信する。そして、モバイルWi-Fi内のWi-Fiチップは、受信したチャネル切換指示を解析して、チャネル切換指示内の宛先チャネル識別子を判定する。モバイルWi-Fi内のWi-Fi STAは、まずチャネル切換指示から宛先チャネル識別子を得て、この宛先チャネル識別子に従って、通信のためにチャネル１１０に切り換えて、チャネル切換指示をモバイルWi-Fi内のWi-Fi APに送信する。
【００３８】
モバイルWi-Fi内のWi-Fi APがチャネル切換指示を受信した後に、Wi-Fi APも、宛先チャネル識別子に従って、通信のために、その上にWi-Fi APが現在ある通信チャネルからチャネル１１０に切り換える。このような方法で、ネットワーク内のWi-Fiホットスポット、およびモバイルWi-Fi内のWi-Fi STAおよびWi-Fi APは、全て同じ通信チャネル上にあることとなり、これによりモバイルWi-Fiの互換性、スループット、および安定性が改善される。
【００３９】
選択肢として、モバイルWi-Fi内のWi-Fi STAおよびWi-Fi APは、連続してチャネル切換を実行する。すなわち、まずモバイルWi-Fi内のWi-Fi STAがチャネル切換を実行して、次にモバイルWi-Fi内のWi-Fi APがチャネル切換を実行する。本発明の実施態様において、この切換方法の他に、モバイルWi-Fi内のWi-Fi STAおよびWi-Fi APが、同時にチャネル切換を実行してもよい。すなわち、モバイルWi-Fiが、宛先チャネル識別子を運んでいて、ネットワーク内のWi-Fiホットスポットによって送信されるチャネル切換指示を受信した時に、モバイルWi-Fiは、チャネル切換指示内の宛先チャネル識別子に従って、切り換えられる必要がある宛先通信チャネルを判定して、Wi-Fi STAおよびWi-Fi APを同時に制御して、宛先チャネル識別子に対応する宛先通信チャネルに切り換える。
【００４０】
モバイルWi-Fi内のWi-Fi APもチャネル切換を完了した後に、このWi-Fi APは、宛先チャネル識別子を含むチャネル切換指示を、Wi-Fi APにアクセスしているクライアント端末に送信する。ここで、チャネル切換指示は、クライアント端末に、クライアント端末がモバイルWi-Fiと通信している通信チャネルから、宛先通信チャネルに切り換えるように指示することができる。
【００４１】
モバイルWi-Fiは、モバイルWi-Fi内のWi-Fi APおよびWi-Fi STAに、宛先通信チャネル上でデータを送信することを始めさせる。
【００４２】
本発明の実施態様に記載されているモバイルWi-Fi内のWi-Fi APおよびWi-Fi STAは、モバイルWi-Fiの単一のWi-Fi処理チップ内に集積されているが、このWi-Fi処理チップは、Wi-Fiホットスポットおよび端末デバイスとのデータ交換を時分割多重の方法で実行する。
【００４３】
前述の実施態様におけるチャネル切換プロセスによって、Wi-Fiホットスポット、Wi-Fi AP、Wi-Fi STA、およびクライアント端末は、全て同じ通信チャネル上でデータを送信するように保たれ得るので、モバイルWi-Fiの互換性、スループット、および安定性が大いに改善される。
【００４４】
加えて、本発明の他の実施態様は、チャネル切換方法を更に提供する。図４は、本発明の他の実施態様によるチャネル切換方法のフローチャートである。この方法は、以下のステップを有している。
【００４５】
S401: モバイルWi-Fiデバイスは、ネットワーク内のWi-Fiアクセスポイントによって送信されて、モバイルWi-Fiデバイスに、データを送信するのを止めるように指示するために用いられる終了指示を受信する。
【００４６】
S402: モバイルWi-Fiデバイスは、終了指示に従って、モバイルWi-FiデバイスとWi-Fiアクセスポイント間の通信チャネル上でモバイルWi-Fiデバイスによって実行されるデータ送信を終了する。
【００４７】
S403: モバイルWi-Fiデバイスは、端末に、端末がモバイルWi-Fiデバイスと通信している通信チャネル上でデータを送信するのを止めるように指示するために、終了指示を、モバイルWi-Fiデバイスにアクセスしている端末に送信する。
【００４８】
S404: モバイルWi-Fiデバイスは、ネットワーク内のWi-Fiアクセスポイントによって送信されるチャネル切換指示を得るが、チャネル切換指示は、切り換えられる必要がある宛先通信チャネルの宛先チャネル識別子を運ぶ。
【００４９】
S405: モバイルWi-Fiデバイスは、モバイルWi-FiデバイスとWi-Fiアクセスポイント間の通信チャネル、およびモバイルWi-FiデバイスとモバイルWi-Fiデバイスにアクセスしている端末間の通信チャネルを、宛先チャネル識別子に対応する宛先通信チャネルに切り換える。
【００５０】
具体的には、通信チャネル切換が実行される必要があることを検出した時に、まずネットワーク内のWi-Fiホットスポットが、モバイルWi-Fiに、モバイルWi-Fiにデータを送信するのを止めるように指示するために用いられる終了指示を送信する。受信した終了指示に従って、モバイルWi-Fiは、モバイルWi-Fi内に含まれているWi-Fi STAおよびWi-Fi APが現在ある通信チャネル上で、モバイルWi-Fi内に含まれているWi-Fi STAおよびWi-Fi APによって実行されているデータ送信を終了する。Wi-Fi APは、更に、終了指示を、Wi-Fi APにアクセスしているクライアント端末に送信するが、この終了指示は、クライアント端末に、クライアント端末がモバイルWi-Fiデバイスと通信している通信チャネル上でデータを送信するのを止めるように指示するために用いられる。
【００５１】
モバイルWi-Fiおよび端末によって実行されていたデータ送信が終了された後に、Wi-Fiホットスポットは、利用可能な通信チャネルを検出して、モバイルWi-Fiに通信チャネル切換を実行するように指示する。モバイルWi-Fiのチャネル切換プロセスは、実施態様１と同じなので、再びここに記載しない。
【００５２】
以下、フローチャートを用いてチャネル切換プロセスの全体を説明する。図５は、本発明の実施態様によるモバイルWi-Fiのチャネル切換のフローチャートである。このプロセスは、以下のステップを有している。
【００５３】
1. モバイルWi-Fiが起動され、モバイルWi-Fi内のWi-Fi APは、自動的に通信チャネル１００を選択し、ビーコンフレームを送信し始め、モバイルWi-Fi内のWi-Fi STAは、ネットワーク内のWi-Fiホットスポットを走査し始める。
【００５４】
2. クライアント（端末）は、モバイルWi-Fi内のWi-Fi APによって送信されているビーコンフレームを受信して、Wi-Fi APにアクセスし、通信チャネル１００を用いてモバイルWi-Fiと通信する。
【００５５】
3. モバイルWi-Fi内のWi-Fi STAは、走査を実行し、ネットワーク内のWi-Fiホットスポットに接続され、Wi-Fiホットスポットがチャネル１０８上にとどまっていることを検出する。
【００５６】
4. モバイルWi-Fiは、同時に、Wi-Fi APに、受信した、Wi-Fiホットスポットがチャネル１０８上にとどまっている（camp）という情報を送信する。
【００５７】
5. モバイルWi-Fi内のWi-Fi APは、チャネル１０８に切り換わり、クライアントから切断され、クライアントは、走査を実行して、再びWi-Fi APに接続される。または、Wi-Fi APは、直接、クライアントに、チャネル１０８へ切り換えるように指示する。
【００５８】
6. クライアントからモバイルWi-Fiまで、そしてホットスポットまで、全てがチャネル１０８上で動作することになり、安定した接続が確立される。
【００５９】
7. Raderがチャネル１０８上に信号を送信し始める。
【００６０】
8. Wi-Fiホットスポットが、信号干渉を検出し、モバイルWi-Fiに、直ちにチャネル１０８上でデータを送信するのを止めるように指示し、Wi-Fiホットスポットは、他に利用可能なチャネルがあるかどうかを検出する。
【００６１】
9. モバイルWi-Fiは、モバイルWi-Fi内のWi-Fi APおよびWi-Fi STAを制御して、チャネル１０８上でデータを送信するのを止めさせる。
【００６２】
10. モバイルWi-Fi内のWi-Fi APは、クライアントにチャネル１０８上でデータを送信するのを止めるように指示するために、クライアントに、データをチャネル１０８上で送信することができないという情報を送信する。
【００６３】
11. Wi-Fiホットスポットが、チャネル１１６が利用可能であることを検出する。
【００６４】
12. Wi-Fiホットスポットは、チャネル１１６へ切り換えるチャネル切換指示をモバイルWi-Fiに送信する。
【００６５】
13. モバイルWi-Fiは、モバイルWi-Fi内のWi-Fi APおよびWi-Fi STAを制御して、チャネル１１６に切り換える。
【００６６】
14. モバイルWi-Fi内のWi-Fi APは、クライアントにチャネル１１６へ切り換えるように指示する。
【００６７】
15. クライアント、モバイルWi-Fi、およびWi-Fiホットスポットは、全てチャネルをチャネル１１６に切り換える。
【００６８】
16. 全てのネットワークがチャネル１１６上で動作し始める。
【００６９】
前述のプロセスにおいて、異なるプロバイダのためのステップ８からステップ１５の詳細の中に違いが存在し得るが、これらのステップを実行するシーケンスは限定されない。
原理は、本発明の技術的解決策のそれと同じである。従って、ステップの詳細な変更は、依然として本発明の技術的解決策の範囲内に含まれるべきである。
【００７０】
前述の実施態様におけるチャネル切換プロセスによって、Wi-Fiホットスポット、Wi-Fi AP、Wi-Fi STA、およびクライアント端末は、全て同じ通信チャネル上でデータを送信するように保たれ得るので、モバイルWi-Fiの互換性、スループット、および安定性が大いに改善される。
【００７１】
同じ発明のアイデアに基づいて、本発明の実施態様は、更にチャネル切換装置を提供する。この装置は、単一のWi-Fiチップを有するモバイルWi-Fiデバイスに適用される。図６は、本発明の実施態様によるチャネル切換装置の概略構成図である。このチャネル切換装置は、以下の構成を備えている。
モバイルWi-Fiデバイス内の受信器を用いて、ネットワーク内のWi-Fiアクセスポイントによって送信されるチャネル切換指示を得るように構成された取得モジュール６０１。ここで、チャネル切換指示は、宛先チャネル識別子を運ぶ。
チャネル切換指示に従って、モバイルWi-FiデバイスとWi-Fiアクセスポイント間の通信チャネル、およびモバイルWi-FiデバイスとモバイルWi-Fiデバイスにアクセスしている端末間の通信チャネルを、チャネル切換指示内で運ばれる宛先通信チャネル識別子に対応する宛先通信チャネルに切り換えるように構成された処理モジュール６０２。
【００７２】
更に、図７に示すように、本発明の実施態様における処理モジュール６０２は、以下の構成を有している。
チャネル切換指示に従って、モバイルWi-FiデバイスとWi-Fiアクセスポイント間の通信チャネルを制御して、宛先チャネル識別子に対応する宛先通信チャネルに切り換えて、切換完了信号を生成するように構成された制御ユニット７０１。
制御ユニット７０１に接続されていて、切換完了信号に従って、モバイルWi-FiデバイスとモバイルWi-Fiデバイスにアクセスしている端末間の通信チャネルを、宛先通信識別子に対応する宛先通信チャネルに切り換えるように構成された切換ユニット７０２。
【００７３】
更に、本発明の実施態様において、処理モジュール６０２は、チャネル切換指示に従って、モバイルWi-FiデバイスとWi-Fiアクセスポイント間の通信チャネルを制御して、宛先通信識別子に対応する宛先通信チャネルに切り換えて、同時に、モバイルWi-FiデバイスとモバイルWi-Fiデバイスにアクセスしている端末間の通信チャネルを制御して、宛先通信チャネル識別子に対応する宛先通信チャネルに切り換えるように更に構成されている。
【００７４】
更に、本発明の実施態様において、取得モジュール６０１は、モバイルWi-Fiデバイス内の受信器を用いて、ネットワーク内のWi-Fiアクセスポイントによって送信されて、モバイルWi-Fiデバイスに、データを送信するのを止めるように指示するために用いられる終了指示を受信するように更に構成されている。
そして、処理モジュール６０２は、終了指示に従って、モバイルWi-FiデバイスとWi-Fiアクセスポイント間の通信チャネル上でモバイルWi-Fiデバイスによって実行されるデータ送信を終了するように更に構成されている。
【００７５】
更に、本発明の実施態様における処理モジュール６０２は、端末に、端末がモバイルWi-Fiデバイスと通信している通信チャネル上でデータを送信するのを止めるように指示するために、終了指示を、モバイルWi-Fiデバイスにアクセスしている端末に送信するように更に構成されている。
【００７６】
更に、本発明の実施態様において、処理モジュール６０２は、宛先チャネル識別子を含む情報を、モバイルWi-Fiデバイスにアクセスしている端末に送信するように更に構成されていて、情報は、端末に、端末とモバイルWi-Fiデバイス間の通信チャネルから、宛先チャネル識別子に対応する宛先通信チャネルに切り換えるように指示するために用いられる。
【００７７】
本発明の実施態様におけるチャネル切換方法に対応して、本発明の実施態様は、更にモバイルWi-Fiデバイスを提供する。図８は、本発明の実施態様によるモバイルWi-Fiデバイスの概略構成図である。このモバイルWi-Fiデバイスは、以下の構成を備えている。
ネットワーク内のWi-Fiアクセスポイントによって送信されるチャネル切換指示を得るように構成された受信器８０１。チャネル切換指示は、宛先チャネル識別子を運ぶ。
受信器に接続されていて、チャネル切換指示に従って、モバイルWi-FiデバイスとWi-Fiアクセスポイント間の通信チャネル、およびWi-FiデバイスとモバイルWi-Fiデバイスにアクセスしている端末間の通信チャネルを、チャネル切換指示内で運ばれる宛先チャネル識別子に対応する宛先通信チャネルに切り換えるように構成されたWi-Fi処理チップ８０２。
【００７８】
更に、本発明の実施態様において、Wi-Fi処理チップ８０２は、チャネル切換指示に従って、モバイルWi-FiデバイスとWi-Fiアクセスポイント間の通信チャネルを制御して、宛先チャネル識別子に対応する宛先通信チャネルに切り換えて、切換完了信号を生成して、切換完了信号に従って、モバイルWi-FiデバイスとモバイルWi-Fiデバイスにアクセスしている端末間の通信チャネルを、宛先チャネル識別子に対応する宛先通信チャネルに切り換えるように更に構成されている。
【００７９】
更に、本発明の実施態様において、Wi-Fi処理チップ８０２は、チャネル切換指示に従って、モバイルWi-FiデバイスとWi-Fiアクセスポイント間の通信チャネルを制御して、宛先チャネル識別子に対応する宛先通信チャネルに切り換えて、モバイルWi-FiデバイスとモバイルWi-Fiデバイスにアクセスしている端末間の通信チャネルを制御して、宛先チャネル識別子に対応する宛先通信チャネルに切り換えるように更に構成されている。
【００８０】
更に、本発明の実施態様において、受信器８０１は、ネットワーク内のWi-Fiアクセスポイントによって送信されて、モバイルWi-Fiデバイスに、データを送信するのを止めるように指示するために用いられる終了指示を受信するように更に構成されていて、
Wi-Fi処理チップ８０２は、終了指示に従って、モバイルWi-FiデバイスとWi-Fiアクセスポイント間の通信チャネル上でモバイルWi-Fiデバイスによって実行されるデータ送信を終了するように更に構成されている。
【００８１】
更に、本発明の実施態様において、Wi-Fi処理チップ８０２は、宛先チャネル識別子を含む情報をモバイルWi-Fiデバイスにアクセスしている端末に送信するように更に構成されていて、情報は、端末に、端末がモバイルWi-Fiデバイスと通信している通信チャネルから、宛先チャネル識別子に対応する宛先通信チャネルに切り換えるように指示するために用いられる。
【００８２】
更に、本発明の実施態様において、モバイルWi-Fiデバイスは、単一のWi-Fiチップを備えていて、モバイルWi-Fiデバイス内のWi-Fi処理チップ８０２は、Wi-Fiチップ上に配置されている。
【００８３】
本発明の実施態様において、モバイルWi-Fiデバイスは、ネットワーク内のWi-Fiアクセスポイントによって送信されるチャネル切換指示を得て、チャネル切換指示は、宛先チャネル識別子を運び、モバイルWi-Fiデバイスは、モバイルWi-FiデバイスとWi-Fiアクセスポイント間の通信チャネル、およびモバイルWi-FiデバイスとモバイルWi-Fiデバイスにアクセスしている端末間の通信チャネルを、チャネル切換指示内で運ばれる宛先チャネル識別子に対応する宛先通信チャネルに切り換える。これは、チャネル切換が実行される時に、Wi-FiクライアントおよびモバイルWi-FiデバイスのWi-Fiアクセス端が、異なる通信チャネルに切り換えられるという問題を回避する。そして、Wi-FiクライアントおよびモバイルWi-FiデバイスのWi-Fiアクセス端は、チャネル切換を実行した後も、依然として同じ通信チャネル上で動作するので、モバイルWi-Fiデバイスの互換性、スループット、および安定性が改善される。
【００８４】
本発明を、本発明の実施態様による方法および装置（システム）、およびコンピュータプログラム製品のフローチャートおよび／またはブロック図を参照して説明した。コンピュータプログラム命令は、フローチャートおよび／またはブロック図内の各プロセスおよび／または各ブロック、およびフローチャートおよび／またはブロック図内のプロセスおよび／またはブロックの組み合わせを実行するために用いられ得ることは理解されるべきである。これらのコンピュータプログラム命令は、汎用コンピュータ、専用コンピュータ、内蔵プロセッサ、またはマシンを生成するための他のプログラム可能なデータ処理デバイスのプロセッサのために提供され得る。これにより、コンピュータまたは他のプログラム可能なデータ処理デバイスのプロセッサによって実行される命令は、フローチャート内の１つ以上のプロセスの中で、および／またはブロック図内の１つ以上のブロックの中で、特定の機能を実行するための装置を生成する。
【００８５】
また、これらのコンピュータプログラム命令は、コンピュータ可読メモリ内に保存され得る。これは、コンピュータまたは他のプログラム可能なデータ処理デバイスに、指定された方法で動作するように指示することができる。これにより、コンピュータ可読メモリ内に保存される命令は、命令装置を含む製品を生成する。命令装置は、フローチャート内の１つ以上のプロセスの中で、および／またはブロック図内の１つ以上のブロックの中で、特定の機能を実行する。
【００８６】
これらのコンピュータプログラム命令は、コンピュータまたは他のプログラム可能なデータ処理デバイス上にロードすることもできるので、一連の動作およびステップは、コンピュータまたは他のプログラム可能なデバイス内で実行され、これによりコンピュータ実行処理を生成する。従って、コンピュータまたは他のプログラム可能なデバイス内で実行される命令は、フローチャート内の１つ以上のプロセスおよび／またはブロック図内の１つ以上のブロックの中の特定の機能を実行するためのステップを提供する。
【００８７】
本発明の好ましい実施態様を説明してきたが、当業者であれば、一旦基本的な発明概念を学べば、これらの実施態様を変更および修正することができる。従って、本願の請求項は、好ましい実施態様および本発明の範囲内に含まれる全ての変更および修正をカバーするものとして解釈されることを意図している。
【００８８】
明らかに、当業者は、本発明の趣旨および範囲から逸脱することなく、本発明に様々な修正および変形を加えることができる。修正および変形が、本願の請求項およびそれらと等価な技術によって定義される保護の範囲内に含まれるのであれば、本発明は、これらの修正および変形をカバーすることを意図している。
【符号の説明】
【００８９】
６０１  取得モジュール
６０２  処理モジュール
７０１  制御ユニット
７０２  切換ユニット
８０１  受信器
８０２  Wi-Fi処理チップ
【図１】
2015534404.tif 000003
【図２】
2015534404.tif 000004
【図３】
2015534404.tif 000005
【図４】
2015534404.tif 000006
【図５】
2015534404.tif 000007
【図６】
2015534404.tif 000008
【図７】
2015534404.tif 000009
【図８】
2015534404.tif 000010
【手続補正書】
【提出日】平成27年1月6日(2015.1.6)
【手続補正１】
【補正対象書類名】特許請求の範囲
【補正対象項目名】全文
【補正方法】変更
【補正の内容】
【特許請求の範囲】
【請求項１】
モバイルWi-Fiデバイスによって、Wi-Fiアクセスポイントによって送信されるチャネル切換指示を得るステップを有していて、前記チャネル切換指示は、宛先チャネル識別子を運び、
更に、モバイルWi-Fiデバイスによって、チャネル切換指示に従って、モバイルWi-FiデバイスとWi-Fiアクセスポイント間の通信チャネル、およびモバイルWi-FiデバイスとモバイルWi-Fiデバイスにアクセスしている端末間の通信チャネルを、宛先チャネル識別子に対応する宛先通信チャネルに切り換えるステップを有していることを特徴とするチャネル切換方法。
【請求項２】
前記モバイルWi-Fiデバイスによって、チャネル切換指示に従って、モバイルWi-FiデバイスとWi-Fiアクセスポイント間の通信チャネル、およびモバイルWi-FiデバイスとモバイルWi-Fiデバイスにアクセスしている端末間の通信チャネルを、宛先チャネル識別子に対応する宛先通信チャネルに切り換えるステップは、
モバイルWi-Fiデバイスによって、チャネル切換指示に従って、モバイルWi-FiデバイスとWi-Fiアクセスポイント間の通信チャネルを制御して、宛先チャネル識別子に対応する宛先通信チャネルに切り換えて、切換完了信号を生成するステップと、
モバイルWi-Fiデバイスによって、切換完了信号に従って、モバイルWi-FiデバイスとモバイルWi-Fiデバイスにアクセスしている端末間の通信チャネルを、宛先チャネル識別子に対応する宛先通信チャネルに切り換えるステップとを有していることを特徴とする請求項１に記載の方法。
【請求項３】
前記モバイルWi-Fiデバイスによって、チャネル切換指示に従って、モバイルWi-FiデバイスとWi-Fiアクセスポイント間の通信チャネル、およびモバイルWi-FiデバイスとモバイルWi-Fiデバイスにアクセスしている端末間の通信チャネルを、宛先チャネル識別子に対応する宛先通信チャネルに切り換えるステップは、
モバイルWi-Fiデバイスによって、チャネル切換指示に従って、モバイルWi-FiデバイスとWi-Fiアクセスポイント間の通信チャネルを制御して、宛先チャネル識別子に対応する宛先通信チャネルに切り換えて、同時に、モバイルWi-FiデバイスとモバイルWi-Fiデバイスにアクセスしている端末間の通信チャネルを制御して、宛先チャネル識別子に対応する宛先通信チャネルに切り換えるステップを有していることを特徴とする請求項１に記載の方法。
【請求項４】
前記モバイルWi-Fiデバイスによって、Wi-Fiアクセスポイントによって送信されるチャネル切換指示を得るステップの前に、
モバイルWi-Fiデバイスによって、Wi-Fiアクセスポイントによって送信されて、モバイルWi-Fiデバイスに、データを送信するのを止めるように指示するために用いられる終了指示を受信するステップと、
モバイルWi-Fiデバイスによって、終了指示に従って、モバイルWi-FiデバイスとWi-Fiアクセスポイント間の通信チャネル上でモバイルWi-Fiデバイスによって実行されるデータ送信を終了するステップとを更に有していることを特徴とする請求項１から３のうちのいずれか一項に記載の方法。
【請求項５】
前記モバイルWi-Fiデバイスによって、終了指示に従って、モバイルWi-FiデバイスとWi-Fiアクセスポイント間の通信チャネル上でモバイルWi-Fiデバイスによって実行されるデータ送信を終了するステップの後に、
端末に、端末がモバイルWi-Fiデバイスと通信している通信チャネル上でデータを送信するのを止めるように指示するために、終了指示を、モバイルWi-Fiデバイスにアクセスしている端末に送信するステップを更に有していることを特徴とする請求項４に記載の方法。
【請求項６】
前記モバイルWi-Fiデバイスによって、チャネル切換指示に従って、モバイルWi-FiデバイスとWi-Fiアクセスポイント間の通信チャネル、およびモバイルWi-FiデバイスとモバイルWi-Fiデバイスにアクセスしている端末間の通信チャネルを、宛先チャネル識別子に対応する宛先通信チャネルに切り換えるステップの後に、
モバイルWi-Fiデバイスによって、宛先チャネル識別子を含む情報をモバイルWi-Fiデバイスにアクセスしている端末に送信するステップを更に有していて、前記情報は、端末に、端末がモバイルWi-Fiデバイスと通信している通信チャネルから、宛先チャネル識別子に対応する宛先通信チャネルに切り換えるように指示するために用いられることを特徴とする請求項１から５のうちのいずれか一項に記載の方法。
【請求項７】
モバイルWi-Fiデバイス内の受信器を用いて、Wi-Fiアクセスポイントによって送信されるチャネル切換指示を得るように構成された取得モジュールを備えていて、前記チャネル切換指示は、宛先チャネル識別子を運び、
更に、チャネル切換指示に従って、モバイルWi-FiデバイスとWi-Fiアクセスポイント間の通信チャネル、およびモバイルWi-FiデバイスとモバイルWi-Fiデバイスにアクセスしている端末間の通信チャネルを、チャネル切換指示内で運ばれる宛先チャネル識別子に対応する宛先通信チャネルに切り換えるように構成された処理モジュールを備えていることを特徴とするチャネル切換装置。
【請求項８】
前記処理モジュールは、
チャネル切換指示に従って、モバイルWi-FiデバイスとWi-Fiアクセスポイント間の通信チャネルを制御して、宛先チャネル識別子に対応する宛先通信チャネルに切り換えて、切換完了信号を生成するように構成された制御ユニットと、
切換完了信号に従って、モバイルWi-FiデバイスとモバイルWi-Fiデバイスにアクセスしている端末間の通信チャネルを、宛先チャネル識別子に対応する宛先通信チャネルに切り換えるように構成された切換ユニットとを有していることを特徴とする請求項７に記載の装置。
【請求項９】
前記処理モジュールは、チャネル切換指示に従って、モバイルWi-FiデバイスとWi-Fiアクセスポイント間の通信チャネルを制御して、宛先チャネル識別子に対応する宛先通信チャネルに切り換えて、同時に、モバイルWi-FiデバイスとモバイルWi-Fiデバイスにアクセスしている端末間の通信チャネルを制御して、宛先チャネル識別子に対応する宛先通信チャネルに切り換えるように更に構成されていることを特徴とする請求項７に記載の装置。
【請求項１０】
前記取得モジュールは、モバイルWi-Fiデバイス内の受信器を用いて、Wi-Fiアクセスポイントによって送信されて、モバイルWi-Fiデバイスに、データを送信するのを止めるように指示するために用いられる終了指示を受信するように更に構成されていて、
前記処理モジュールは、終了指示に従って、モバイルWi-FiデバイスとWi-Fiアクセスポイント間の通信チャネル上でモバイルWi-Fiデバイスによって実行されるデータ送信を終了するように更に構成されていることを特徴とする請求項７から９のうちのいずれか一項に記載の装置。
【請求項１１】
前記処理モジュールは、端末に、端末がモバイルWi-Fiデバイスと通信している通信チャネル上にデータを送信するのを止めるように指示するために、終了指示を、モバイルWi-Fiデバイスにアクセスしている端末に送信するように更に構成されていることを特徴とする請求項１０に記載の装置。
【請求項１２】
前記処理モジュールは、宛先チャネル識別子を含む情報をモバイルWi-Fiデバイスにアクセスしている端末に送信するように更に構成されていて、
前記情報は、端末に、端末がモバイルWi-Fiデバイスと通信している通信チャネルから、宛先チャネル識別子に対応する宛先通信チャネルに切り換えるように指示するために用いられることを特徴とする請求項７から１１のうちのいずれか一項に記載の装置。
【請求項１３】
Wi-Fiアクセスポイントによって送信されるチャネル切換指示を得るように構成された受信器を備えていて、前記チャネル切換指示は、宛先チャネル識別子を運び、
更に、受信器に接続されていて、チャネル切換指示に従って、モバイルWi-FiデバイスとWi-Fiアクセスポイント間の通信チャネル、およびモバイルWi-FiデバイスとモバイルWi-Fiデバイスにアクセスしている端末間の通信チャネルを、チャネル切換指示内で運ばれた宛先チャネル識別子に対応する宛先通信チャネルに切り換えるように構成されたWi-Fi処理チップを備えていることを特徴とするモバイルWi-Fiデバイス。
【請求項１４】
前記Wi-Fi処理チップは、チャネル切換指示に従って、モバイルWi-FiデバイスとWi-Fiアクセスポイント間の通信チャネルを制御して、宛先チャネル識別子に対応する宛先通信チャネルに切り換えて、切換完了信号を生成して、切換完了信号に従って、モバイルWi-FiデバイスとモバイルWi-Fiデバイスにアクセスしている端末間の通信チャネルを、宛先チャネル識別子に対応する宛先通信チャネルに切り換えるように更に構成されていることを特徴とする請求項１３に記載のデバイス。
【請求項１５】
前記Wi-Fi処理チップは、チャネル切換指示に従って、モバイルWi-FiデバイスとWi-Fiアクセスポイント間の通信チャネルを制御して、宛先チャネル識別子に対応する宛先通信チャネルに切り換えて、モバイルWi-FiデバイスとモバイルWi-Fiデバイスにアクセスしている端末間の通信チャネルを制御して、宛先チャネル識別子に対応する宛先通信チャネルに切り換えるように更に構成されていることを特徴とする請求項１３に記載のデバイス。
【請求項１６】
前記受信器は、ネットワーク内のWi-Fiアクセスポイントによって送信されて、モバイルWi-Fiデバイスに、データを送信するのを止めるように指示するために用いられる終了指示を受信するように更に構成されていて、
前記Wi-Fi処理チップは、終了指示に従って、モバイルWi-FiデバイスとWi-Fiアクセスポイント間の通信チャネル上でモバイルWi-Fiデバイスによって実行されるデータ送信を終了するように更に構成されていることを特徴とする請求項１３から１５のうちのいずれか一項に記載のデバイス。
【請求項１７】
前記Wi-Fi処理チップは、宛先チャネル識別子を含む情報をモバイルWi-Fiデバイスにアクセスしている端末に送信するように更に構成されていて、前記情報は、端末に、端末がモバイルWi-Fiデバイスと通信している通信チャネルから、宛先チャネル識別子に対応する宛先通信チャネルに切り換えるように指示するために用いられることを特徴とする請求項１３から１５のうちのいずれか一項に記載のデバイス。
【請求項１８】
前記モバイルWi-Fiデバイスは、単一のWi-Fi処理チップを備えていることを特徴とする請求項１３から１７のうちのいずれか一項に記載のデバイス。
【手続補正２】
【補正対象書類名】明細書
【補正対象項目名】００５８
【補正方法】変更
【補正の内容】
【００５８】
6. クライアントからモバイルWi-Fiまで、そしてWi-Fiホットスポットまで、全てがチャネル１０８上で動作することになり、安定した接続が確立される。
【手続補正３】
【補正対象書類名】明細書
【補正対象項目名】００５９
【補正方法】変更
【補正の内容】
【００５９】
7. レーダーがチャネル１０８上に信号を送信し始める。
【手続補正４】
【補正対象書類名】明細書
【補正対象項目名】００７１
【補正方法】変更
【補正の内容】
【００７１】
同じ発明のアイデアに基づいて、本発明の実施態様は、更にチャネル切換装置を提供する。この装置は、単一のWi-Fiチップを有するモバイルWi-Fiデバイスに適用される。図６は、本発明の実施態様によるチャネル切換装置の概略構成図である。このチャネル切換装置は、以下の構成を備えている。
モバイルWi-Fiデバイス内の受信器を用いて、ネットワーク内のWi-Fiアクセスポイントによって送信されるチャネル切換指示を得るように構成された取得モジュール６０１。ここで、チャネル切換指示は、宛先チャネル識別子を運ぶ。
チャネル切換指示に従って、モバイルWi-FiデバイスとWi-Fiアクセスポイント間の通信チャネル、およびモバイルWi-FiデバイスとモバイルWi-Fiデバイスにアクセスしている端末間の通信チャネルを、チャネル切換指示内で運ばれる宛先チャネル識別子に対応する宛先通信チャネルに切り換えるように構成された処理モジュール６０２。
【手続補正５】
【補正対象書類名】明細書
【補正対象項目名】００７２
【補正方法】変更
【補正の内容】
【００７２】
更に、図７に示すように、本発明の実施態様における処理モジュール６０２は、以下の構成を有している。
チャネル切換指示に従って、モバイルWi-FiデバイスとWi-Fiアクセスポイント間の通信チャネルを制御して、宛先チャネル識別子に対応する宛先通信チャネルに切り換えて、切換完了信号を生成するように構成された制御ユニット７０１。
制御ユニット７０１に接続されていて、切換完了信号に従って、モバイルWi-FiデバイスとモバイルWi-Fiデバイスにアクセスしている端末間の通信チャネルを、宛先チャネル識別子に対応する宛先通信チャネルに切り換えるように構成された切換ユニット７０２。
【手続補正６】
【補正対象書類名】明細書
【補正対象項目名】００８８
【補正方法】変更
【補正の内容】
【００８８】
明らかに、当業者は、本発明の範囲から逸脱することなく、本発明に様々な修正および変形を加えることができる。修正および変形が、本願の請求項およびそれらと等価な技術によって定義される保護の範囲内に含まれるのであれば、本発明は、これらの修正および変形をカバーすることを意図している。
【手続補正７】
【補正対象書類名】図面
【補正対象項目名】図４
【補正方法】変更
【補正の内容】
【図４】
2015534404.tif 000011
【手続補正８】
【補正対象書類名】図面
【補正対象項目名】図５
【補正方法】変更
【補正の内容】
【図５】
2015534404.tif 000012
【国際調査報告】
2015534404.tif 000013
2015534404.tif 000014
2015534404.tif 000015
2015534404.tif 000016